(57)【要約】【課題】複数のゲートローラを同時に清掃することができる乗客コンベアのゲートローラ清掃装置の提供。【解決手段】本発明は、エスカレータのターミナル部１に配置されたゲートローラ２の清掃に際し用いられるものであり、ゲートローラ２を回転させる駆動ローラ３は、ゲートローラ２のうちの隣り合う第１ゲートローラ２Ａと第２ゲートローラ２Ｂを同時に回転させる１つのローラから成り、ゲートローラ２に付着したごみを除去する清掃具は、駆動ローラ３を挟むように配置され、第１ゲートローラ２Ａに付着したごみを清掃する第１清掃具４と、第２ゲートローラ２Ｂに付着したごみを清掃する第２清掃具５とから成っている。【選択図】図２
2016084208.tif 000002
【特許請求の範囲】
【請求項１】
移動手摺のターミナル部に配置されたゲートローラを回転させる駆動ローラと、この駆動ローラによって回転するゲートローラに接触し、前記ゲートローラに付着したごみを除去する清掃具とを備えた乗客コンベアのゲートローラ清掃装置において、
前記駆動ローラは、前記ゲートローラのうちの隣り合う第１ゲートローラと第２ゲートローラを同時に回転させる１つのローラから成り、
前記清掃具は、前記駆動ローラを挟むように配置され、前記第１ゲートローラに付着したごみを清掃する第１清掃具と、前記第２ゲートローラに付着したごみを清掃する第２清掃具とから成ることを特徴とする乗客コンベアのゲートローラ清掃装置。
【請求項２】
請求項１に記載の乗客コンベアのゲートローラ清掃装置において、
前記第１清掃具を前記第１ゲートローラに押圧し、前記第２清掃具を前記第２ゲートローラに押圧する押圧手段と、
前記第１清掃具及び前記第２清掃具によって清掃された前記第１ゲートローラ及び前記第２ゲートローラのそれぞれに付着していた前記ごみを、吸引して外部に排出させる吸引手段を備えたことを特徴とする乗客コンベアのゲートローラ清掃装置。
【請求項３】
請求項２に記載の乗客コンベアのゲートローラ清掃装置において、
前記駆動ローラと、前記第１清掃具と、前記第２清掃具とが収容される枠体を備え、
前記駆動ローラの回転軸が、前記枠体に形成した貫通穴から突出するように前記駆動ローラを前記枠体に取り付け、
前記駆動ローラの前記回転軸の前記枠体の貫通穴から突出した部分に連結され、前記回転軸を回転駆動する回転駆動手段を備えたことを特徴とする乗客コンベアのゲートローラ清掃装置。
【請求項４】
請求項３に記載の乗客コンベアのゲートローラ清掃装置において、
前記枠体内に収容され、前記第１清掃具を保持する第１保持部と、前記第２清掃具を保持する第２保持部と、これらの第１保持部と第２保持部とを連結する連結部とを有する保持ブラケットを備え、
前記押圧手段は、前記保持ブラケット側に一端が係着され、前記保持ブラケットを押圧するばねから成ることを特徴とする乗客コンベアのゲートローラ清掃装置。
【請求項５】
請求項４に記載の乗客コンベアのゲートローラ清掃装置において、
前記枠体は、上方部分及び下方部分に開放部を有し、側部に前記吸引手段のホースが連結される開口部を有し、
前記枠体の前記上方部分の前記開放部を塞ぎ、前記ばねの他端が係着されるとともに、前記ばねの力に抗して移動可能な可動体を備え、
前記枠体の前記下方部分の前記開放部から、前記駆動ローラが前記第１ゲートローラ及び前記第２ゲートローラに接触可能となるように、前記第１清掃具が前記第１ゲートローラに、前記第２清掃具が前記第２ゲートローラに、それぞれ接触可能となるように、前記駆動ローラ、前記第１清掃具、及び前記第２清掃具のそれぞれを、前記枠体内に配置したことを特徴とする乗客コンベアのゲートローラ清掃装置。
【請求項６】
請求項５に記載の乗客コンベアのゲートローラ清掃装置において、
前記可動体は、可動板から成り、
前記可動板に取っ手を設けたことを特徴とする乗客コンベアのゲートローラ清掃装置。
【請求項７】
請求項６に記載の乗客コンベアのゲートローラ清掃装置において、
前記駆動ローラの前記回転軸が回転自在に挿入される貫通穴と、ボルト取り付け部とを有するローラブラケットと、
前記可動板に形成した貫通穴に挿入され、下端が前記保持ブラケットに形成したねじ穴に螺合して、この保持ブラケットに固定される第１ボルトと、前記前記ローラブラケットの前記ボルト取り付け部に形成した貫通穴に挿入され、上端が前記可動板に形成したねじ穴に螺合して、この可動板に固定される第２ボルトとを備え、
前記保持ブラケットに、前記ローラブラケット及び前記第２ボルトとの干渉を避ける切り欠き部を形成したことを特徴とする乗客コンベアのゲートローラ清掃装置。
【請求項８】
請求項３〜７のいずれか１項に記載の乗客コンベアのゲートローラ清掃装置において、
前記回転駆動手段は、電動ドリルから成ることを特徴とする乗客コンベアのゲートローラ清掃装置。
【発明の詳細な説明】
【技術分野】
【０００１】
本発明は、エスカレータ、電動道路等の乗客コンベアに備えられる移動手摺が反転するターミナル部に設けられたゲートローラを清掃する際に用いられる乗客コンベアのゲートローラ清掃装置に関する。
【背景技術】
【０００２】
この種の従来技術が特許文献１に開示されている。この特許文献１に開示された従来技術は、エスカレータの移動手摺のターミナル部に設けられ、移動手摺の裏面に接触する１つのゲートローラを回転させる駆動ローラと、この駆動ローラを駆動するモータと、駆動ローラによって回転するゲートローラに接触し、そのゲートローラに付着したごみを除去する清掃具とを備えている。
【先行技術文献】
【特許文献】
【０００３】
【特許文献１】実開昭５７−１３５５６４号公報
【発明の概要】
【発明が解決しようとする課題】
【０００４】
前述した従来技術は、モータによって駆動ローラを回転させることにより１つのゲートローラのみを清掃するものである。すなわち、複数設けられたゲートローラ毎に駆動ローラと清掃具を移動させて清掃することが必要になる。このために従来技術は、ゲートローラの清掃作業に時間がかかり、ゲートローラの清掃作業能率の向上を見込めなかった。これに伴って従来技術は、ゲートローラの清掃作業に要する費用が高くなりやすかった。
【０００５】
本発明は、前述した従来技術における実情からなされたもので、その目的は、複数のゲートローラを同時に清掃することができる乗客コンベアのゲートローラ清掃装置を提供することにある。
【課題を解決するための手段】
【０００６】
前記目的を達成するために、本発明に係る乗客コンベアのゲートローラ清掃装置は、移動手摺のターミナル部に配置されたゲートローラを回転させる駆動ローラと、この駆動ローラによって回転するゲートローラに接触し、前記ゲートローラに付着したごみを除去する清掃具とを備えた乗客コンベアのゲートローラ清掃装置において、前記駆動ローラは、前記ゲートローラのうちの隣り合う第１ゲートローラと第２ゲートローラを同時に回転させる１つのローラから成り、前記清掃具は、前記駆動ローラを挟むように配置され、前記第１ゲートローラに付着したごみを清掃する第１清掃具と、前記第２ゲートローラに付着したごみを清掃する第２清掃具とから成ることを特徴としている。
【発明の効果】
【０００７】
本発明に係る乗客コンベアのゲートローラ清掃装置は、１つの駆動ローラによって、隣り合う第１ゲートローラと第２ゲートローラとを同時に回転させ、第１ゲートローラに付着したごみを第１清掃具で除去でき、第２ゲートローラに付着したごみを第２清掃具で除去できる。すなわち本発明は、複数のゲートローラを同時に清掃することができ、ゲートローラ全体を短時間で清掃でき、従来に比べてゲートローラの清掃作業能率を向上させることができる。これにより本発明は、ゲートローラの清掃に要する費用を従来よりも安く抑えることができる。
【図面の簡単な説明】
【０００８】
【図１】本発明に係る乗客コンベアのゲートローラ清掃装置の一実施形態を用いてゲートローラを清掃する状態を示す側面図である。
【図２】本実施形態に係る乗客コンベアのゲートローラ清掃装置の一部を省略して示した側面図である。
【図３】本実施形態に係る乗客コンベアのゲートローラ清掃装置の一部を省略して示した正面図である。
【図４】本実施形態に備えられる保持ブラケットの平面図である。
【発明を実施するための形態】
【０００９】
以下、本発明に係る乗客コンベアのゲートローラ清掃装置の実施の形態を図面に基づいて説明する。
【００１０】
本発明に係るゲートローラ清掃装置が用いられる乗客コンベアは、例えばエスカレータである。エスカレータの上階床乗場、及び下階床乗場のそれぞれの移動手摺が反転する図１に示すターミナル部１には、同図１では図示省略した移動手摺の裏面に接触する複数のゲートローラ２が設けられている。このゲートローラ２には経時的にごみが付着する。また、これらのごみは、移動手摺による圧接で固化する傾向にある。本実施形態に係るゲートローラ清掃装置は、ゲートローラ２に付着したごみを除去する際に用いられる。
【００１１】
本実施形態に係るゲートローラ清掃装置は、図１，２に示すように、ゲートローラ２を回転させる駆動ローラ３を備えている。この駆動ローラ３は、複数のゲートローラ２のうちの隣り合う第１ゲートローラ２Ａと第２ゲートローラ２Ｂの双方に接触し、同時に回転させる１つのローラから成っている。
【００１２】
駆動ローラ３によって回転するゲートローラ２に接触し、ゲートローラ２に付着したごみを除去する清掃具は、駆動ローラ３を挟むように配置され、第１ゲートローラ２Ａに付着したごみを清掃する第１清掃具４と、第２ゲートローラ２Ｂに付着したごみを清掃する第２清掃具５とから成っている。これらの第１清掃具４と第２清掃具５は、例えばゲートローラ２Ａ，２Ｂに付着したごみを削り落とすことができるステンレスブラシによって構成されている。
【００１３】
また本実施形態は、第１清掃具４を第１ゲートローラ２Ａに押圧し、第２清掃具５を第２ゲートローラ２Ｂに押圧する押圧手段、例えばばね６を備えている。また、第１清掃具４及び第２清掃具５によって清掃された第１ゲートローラ２Ａ及び第２ゲートローラ２Ｂに付着したごみを吸引して外部に排出させるホース７を含む吸引手段を備えている。
【００１４】
また本実施形態は、駆動ローラ３と、第１清掃具４と、第２清掃具５が収容される枠体８を備えている。図３に示すように、この枠体８に形成した開口部８ｃに前述した吸引手段のホース７の一端を接続してある。
【００１５】
また図３に示すように、枠体８は、基本形状が角筒形状をしており、上方部分に開放部８ａを有し、下方部分に開放部８ｂを有している。前述した駆動ローラ３は、その回転軸３ａが枠体８に形成した貫通穴８ｄから突出するように取り付けてある。
【００１６】
駆動ローラ３の回転軸３ａの枠体８から突出した部分には、回転軸３ａを回転駆動する回転駆動手段、例えば図示しない電気ドリルが連結されるようになっている。
【００１７】
また本実施形態は、図２，４に示すように、枠体８内に収容され、第１清掃具４を保持する第１保持部９ａと、第２清掃具５を保持する第２保持部９ｂと、これらの第１保持部９ａと第２保持部９ｂとを連結する連結部９ｃとを有する保持ブラケット９を備えている。前述した押圧手段を構成するばね６は、保持ブラケット９側に一端が係着され、保持ブラケット９を押圧するように配置してある。
【００１８】
また本実施形態は、図２，３に示すように、枠体８の上方部分の前述した開放部８ａを塞ぎ、ばね６の他端が係着されるとともに、ばね６の力に抗して移動可能な可動体、例えば四角形状の板材から成る可動板１０を備えている。
【００１９】
枠体８の下方部分の前述した開放部８ａから、駆動ローラ３が第１ゲートローラ２Ａ及び第２ゲートローラ２Ｂに接触可能となるように、第１清掃具４が第１ゲートローラ２Ａに、第２清掃具５が第２ゲートローラ２Ｂに、それぞれ接触可能となるように、駆動ローラ３、第１清掃具４、及び第２清掃具５のそれぞれを枠体８内に配置してある。
【００２０】
図１〜３に示すように、可動板１０には取っ手１１を設けてある。
【００２１】
また本実施形態は、図２に示すように、駆動ローラ３の回転軸３ａが回転自在に挿入される貫通穴１２ａと、ボルト取り付け部１２ｂとを有するローラブラケット１２を備えている。
【００２２】
また、可動板１０に形成した貫通穴１０ａに挿入され、下端が保持ブラケット９に形成したねじ穴に螺合して、この保持ブラケット９に固定される第１ボルト１３を備えている。また、ローラブラケット１２のボルト取り付け部１２ｂに形成した貫通穴１２ｂ１に挿入され、可動板１０に形成したねじ穴に螺合して、この稼働板１０に固定される第２ボルト１４を備えている。
【００２３】
第１ボルト１３、第２ボルト１４のそれぞれは、前後、左右方向に合計４本ずつ設けてある。前述したばね６は、４本の第１ボルト１３のそれぞれに装着させてあり、合計４つ設けてある。
【００２４】
図４に示すように、保持ブラケット９には、ローラブラケット１２及び第２ボルト１４との干渉を避ける切り欠き部９ｄを形成してある。
【００２５】
このように構成した本実施形態に係るゲートローラ清掃装置を用いて、ゲートローラ２を清掃する際には、図１，２に示すように、駆動ローラ３が隣り合う第１ゲートローラ２Ａと、第２ゲートローラ２Ｂに接触するように、また、第１清掃具４が第１ゲートローラ２Ａに接触し、第２清掃具５が第２ゲートローラ２Ｂに接触するようにして枠体８をゲートローラ２上に配置する。
【００２６】
この状態で、図３に示すように枠体８の貫通穴８ｄから突出している駆動ローラ３の回転軸３ａに、図示しない電動ドリルを連結する。ここで取っ手１１を把持して可動板１０をばね６の力に抗して保持ブラケット９方向に移動させ、この状態で電動ドリルによって駆動ローラ３の回転軸３ａを回転駆動する。これにより、駆動ローラ３ａが回転し、この駆動ローラ３ａに接触する第１ゲートローラ２Ａと第２ゲートローラ２Ｂとが同時に回転する。
【００２７】
第１ゲートローラ２Ａの回転により、この第１ゲートローラ２Ａに付着し、例えば固化していたごみは、第１ゲートローラ２Ａに押圧される第１清掃具４によって削り落されるようにして除去される。同様に、第２ゲートローラ２Ｂの回転により、この第２ゲートローラ２Ｂに付着し、例えば固化していたごみは、第２ゲートローラ２Ｂに押圧される第２清掃具５によって削り落されるようにして除去される。
【００２８】
第１清掃具４及び第２清掃具５によって除去されたごみは、ホース７を含む吸引手段によって吸引され外部の所定箇所に排出される。以下、ゲートローラ２に含まれる他のゲートローラに対しても同様に、隣り合うゲートローラ毎に清掃することができる。
【００２９】
本実施形態によれば、前述したように、１つの駆動ローラ３によって、隣り合う第１ゲートローラ２Ａと第２ゲートローラ２Ｂとを同時に回転させ、第１ゲートローラ２Ａに付着したごみを第１清掃具４で除去でき、第２ゲートローラ２Ｂに付着したごみを第２清掃具５で除去できる。すなわち本実施形態は、複数のゲートローラ２Ａ，２Ｂを同時に清掃することができ、ゲートローラ２の全体を短時間で清掃でき、このゲートローラ２の清掃作業能率を向上させることができる。これに伴って本実施形態は、ゲートローラ２の清掃に要する費用を安く抑えることができる。
【００３０】
また本実施形態は、第１清掃具４を第１ゲートローラ２Ａに押圧し、第２清掃具５を第２ゲートローラ２Ｂに押圧するばね６を備えていることから、ゲートローラ２Ａ，２Ｂのそれぞれに付着したごみを強い力で削り落すようにして除去することができる。これにより本実施形態は、優れた清掃性能を確保することができる。また、清掃具４，５によって除去されたごみは、前述したホース７を含む吸引手段によって吸引され、外部に排出される。このことも優れた清掃性能の確保に貢献する。
【００３１】
また本実施形態は、角筒形状の枠体８を設け、この枠体８の上方部分を可動板１０によって塞ぐようにしたことにより、清掃具４，５で除去されたごみの周囲への飛散を防ぐことができる。また、駆動ローラ３の回転軸３ａを枠体８の貫通穴８ｄから突出させてあるので、この駆動ローラ３の回転軸３ａに図示しない電動ドリルを容易に連結することができる。
【００３２】
また本実施形態は、保持ブラケット９によって枠体８内に清掃具４，５を安定した状態で配置できる。また、ばね６で保持ブラケット９を押圧することにより、清掃具４，５をゲートローラ２Ａ，２Ｂのそれぞれ対応するものに確実に押圧させることができる。
【００３３】
また本実施形態は、枠体８を上方部分と下方部分にそれぞれ開放部８ａ，８ｂを有する簡単な構成、すなわち前述したように角筒形状とすることができる。また、可動板１０を保持ブラケット９方向に押圧することにより、ばね６が圧縮され、このばね６の力を介して前述したように、清掃具４，５のそれぞれをゲートローラ２Ａ，２Ｂのそれぞれ対応するものに押圧させることができる。また、可動体を構成する可動板１０は、形状が簡単な四角形状の板材から成っている。これらのことから、枠体８及び可動板１０の製作が容易で、実用性に富む。
【００３４】
また本実施形態は、取っ手１１を把持することにより、可動板１０をばね６の力に抗して容易に押圧することができる。この取っ手１１を設けた点も、優れた清掃性能の確保に貢献する。
【００３５】
また本実施形態は、取っ手１１によって可動板１０を押圧した際には、可動板１０の貫通穴１０ａ内を第１ボルト１３の軸部が相対的に移動し、また、ローラブラケット１２のボルト取り付け部１２ｂの貫通穴１２ｂ１内を第２ボルト１４の軸部が相対的に移動することにより、可動板１０を、ばね６を圧縮させる方向に確実に移動させることができる。また本実施形態は、可動板１０の上方向への移動を、第１ボルト１３の頭部と可動板１０との係合、及び第２ボルト１４の頭部とローラブラケット１２のボルト取り付け部１２ｂとの係合によって規制することができる。これらにより、本実施形態は構造的に安定した信頼性の高いゲートローラ清掃装置を実現させることができる。
【００３６】
また本実施形態は、駆動ローラ３を駆動する回転駆動手段が、入手が容易な図示しない電動ドリルから成ることから、この点でも実用性に富む。
【符号の説明】
【００３７】
１    ターミナル部
２    ゲートローラ
２Ａ  第１ゲートローラ
２Ｂ  第２ゲートローラ
３    駆動ローラ
３ａ  回転軸
４    第１清掃具
５    第２清掃具
６    ばね（押圧手段）
７    ホース
８    枠体
８ａ  開放部
８ｂ  開放部
８ｃ  開口部
８ｄ  貫通穴
９    保持ブラケット
９ａ  第１保持部
９ｂ  第２保持部
９ｃ  連結部
９ｄ  切り欠き部
１０    可動板（可動体）
１０ａ  貫通穴
１１    取っ手
１２    ローラブラケット
１２ａ  貫通穴
１２ｂ  ボルト取り付け部
１２ｂ１  貫通穴
１３    第１ボルト
１４    第２ボルト
【図１】
2016084208.tif 000003
【図２】
2016084208.tif 000004
【図３】
2016084208.tif 000005
【図４】
2016084208.tif 000006